(57)【要約】  所定のビットレートの要求条件を満たさないなど輻輳の発生を抑える通信制御を行う通信制御装置および選択装置を提供する。  ＡＭＦ１００は、通信接続装置であるＲＡＮ３１０のそれぞれにおける輻輳情報を受信する受信部１０１と、ＲＡＮ３１０群から一のＲＡＮ３１０を選択するためのＥ２Ｅスライス選択／制御装置４００に、輻輳情報を通知して、ＲＡＮ３１０のそれぞれにおける輻輳情報を記憶させる通知処理部１０２と、ＲＡＮ３１０から接続要求であるPDU Session Establish Requestを受信すると、Ｅ２Ｅスライス選択／制御装置４００にスライス選択要求を送信する接続処理部１０４と、スライス選択要求に対する応答として、選択されたＲＡＮスライス３００の識別情報、および輻輳情報に基づいて選択されたＲＡＮ３１０を示す識別情報を受信する識別情報受信部と、識別情報で示されたＲＡＮスライス３００におけるＲＡＮ３１０を用いた通信接続処理を行う通信処理部と、を備える。
2020031304.tif 000002
【特許請求の範囲】
【請求項１】
ユーザ端末をコアネットワークに通信接続するためのネットワークインフラである複数の通信接続装置を用いて構成された仮想的なネットワークであるスライスネットワークに対して、通信制御を行う通信制御装置において、
前記複数の通信接続装置のそれぞれにおける輻輳情報を受信する輻輳情報受信部と、
前記スライスネットワークを構成する複数の通信接続装置から通信接続装置を選択するための選択装置に、前記輻輳情報を通知して、前記複数の通信接続装置のそれぞれにおける輻輳情報を記憶させる輻輳情報通知部と、
通信接続装置から接続要求を受信すると、前記選択装置に選択要求を送信する選択要求部と、
前記選択要求に対する応答として、前記輻輳情報に基づいて選択した前記通信接続装置または他の通信接続装置を示す識別情報を受信する識別情報受信部と、
前記識別情報で示された通信接続装置を用いた通信接続処理を行う通信処理部と、
を備える通信制御装置。
【請求項２】
仮想的なネットワークであるスライスネットワークを構成する、ユーザ端末をコアネットワークに通信接続するためのネットワークインフラである複数の通信接続装置ごとの、輻輳情報を取得する取得部と、
前記複数の通信接続装置ごとの輻輳情報を記憶する記憶部と、
ネットワーク管理を行う通信制御装置から選択要求を受信すると、前記記憶部の輻輳情報を参照して、通信接続装置を選択する選択部と、
前記通信接続装置の識別情報を前記通信制御装置に通知する装置情報通知部と、
を備え、
前記通信制御装置は、前記選択された通信接続装置を用いた通信制御を行う、選択装置。
【請求項３】
前記選択部は、前記通信制御装置から選択要求として、スライス選択要求を受信すると、ユーザ端末が通信するためのサービス要求条件を満たすスライスネットワークを選択するとともに、当該スライスネットワークを構成する一または複数の通信制御装置から、輻輳情報に応じた通信制御装置を選択する、
請求項２に記載の選択装置。
【請求項４】
前記複数の通信接続装置のそれぞれには、複数のスライスネットワークごとにリソースが割当てられており、
前記記憶部を参照して、指定されたスライスネットワークの通信接続装置を選択することができない場合には、他のスライスネットワークにおける通信接続装置からリソースの切り出しを行うスライス割当制御部を、
さらに備える請求項２または３に記載の選択装置。
【請求項５】
前記スライス割当制御部は、通信フロー単位に、前記通信接続装置からリソースの切り出しを行い、
前記通信接続装置は、割り当てられた通信フローの通信が終了すると、当該通信フローに割り当てられたリソースを開放する、
請求項４に記載の選択装置。
【請求項６】
ユーザ端末をコアネットワークに通信接続するためのネットワークインフラである複数の通信接続装置を用いて構成された仮想的なネットワークであるスライスネットワークに対して、通信制御を行う通信制御装置の通信制御方法において、
前記複数の通信接続装置のそれぞれにおける輻輳情報を受信する輻輳情報受信ステップと、
前記スライスネットワークを構成する複数の通信接続装置から通信接続装置を選択するための選択装置に、前記輻輳情報を通知して、前記複数の通信接続装置のそれぞれにおける輻輳情報を記憶させる輻輳情報通知ステップと、
通信接続装置から接続要求を受信すると、前記選択装置に選択要求を送信する選択要求ステップと、
前記選択要求に対する応答として、前記輻輳情報に基づいて選択した前記通信接続装置または他の通信接続装置を示す識別情報を受信する識別情報受信ステップと、
前記識別情報で示された通信接続装置を用いた通信接続処理を行う通信処理ステップと、
を備える通信制御方法。
【請求項７】
仮想的なネットワークであるスライスネットワークを構成する、ユーザ端末をコアネットワークに通信接続するためのネットワークインフラである複数の通信接続装置ごとの、輻輳情報を取得する取得ステップと、
前記複数の通信接続装置ごとの輻輳情報を記憶部に記憶する記憶ステップと、
ネットワーク管理を行う通信制御装置から選択要求を受信すると、前記記憶部を参照して、通信接続装置を選択する選択ステップと、
前記通信接続装置の識別情報を前記通信制御装置に通知する装置情報通知ステップと、
を備え、
前記通信制御装置は、前記選択された通信接続装置を用いた通信制御を行う、選択方法。
【発明の詳細な説明】
【技術分野】
【０００１】
本発明は、仮想ネットワークであるスライスネットワークに対する通信制御を行う通信制御装置および選択／制御装置に関する。
【背景技術】
【０００２】
５ＧＳ（5Generation communication system）において、トラフィックは、リソース種別に基づいてＧＢＲ（Guaranteed Bit Rate）およびｎｏｎ−ＧＢＲの２つの通信フローに切り替えられる。この５ＧＳにおいて、ＧＢＲによる通信フローでは、予め設定したビットレートの要求条件を満たさない場合に、その旨を、５ＧＣ（5Generation core network）に通知する。非特許文献１には、その旨、詳細に規定されている。
【先行技術文献】
【非特許文献】
【０００３】
【非特許文献１】３ＧＰＰ  ＴＳ  ２３．５０１
【発明の概要】
【発明が解決しようとする課題】
【０００４】
しかしながら、通信フローが予め定めたビットレートの要求条件を満たしていないことが５ＧＣに通知された場合において、ＧＢＲによる新たな通信フローが発生した場合、やはり予め設定したビットレートの要求条件を満たさない通信フローとなる場合があり得る。【０００５】
そこで、本発明においては、所定のビットレートの要求条件を満たさないなど輻輳の発生を抑える通信制御を行う通信制御装置、選択装置、通信制御方法および選択方法を提供することを目的とする。
【課題を解決するための手段】
【０００６】
本発明の通信制御装置は、ユーザ端末をコアネットワークに通信接続するためのネットワークインフラである複数の通信接続装置を用いて構成された仮想的なネットワークであるスライスネットワークに対して、通信制御を行う通信制御装置において、前記複数の通信接続装置のそれぞれにおける輻輳情報を受信する輻輳情報受信部と、前記スライスネットワークを構成する複数の通信接続装置から通信接続装置を選択するための選択／制御装置に、前記輻輳情報を通知して、前記複数の通信接続装置のそれぞれにおける輻輳情報を記憶させる輻輳情報通知部と、通信接続装置から接続要求を受信すると、前記選択／制御装置に選択要求を送信する選択要求部と、前記選択要求に対する応答として、前記輻輳情報に基づいて選択した前記通信接続装置または他の通信接続装置を示す識別情報を受信する識別情報受信部と、前記識別情報で示された通信接続装置を用いた通信接続処理を行う通信処理部と、を備える。【０００７】
また、本発明の選択装置は、仮想的なネットワークであるスライスネットワークを構成する、ユーザ端末をコアネットワークに通信接続するためのネットワークインフラである複数の通信接続装置ごとの、輻輳情報を取得する取得部と、前記複数の通信接続装置ごとの輻輳情報を記憶する記憶部と、ネットワーク管理を行う通信制御装置から選択要求を受信すると、前記記憶部を参照して、通信接続装置を選択する選択部と、前記通信接続装置の識別情報を前記通信制御装置に通知する装置情報通知部と、を備え、  前記通信制御装置は、前記選択された通信接続装置を用いた通信制御を行う。【０００８】
これら構成によれば、輻輳状態にある通信接続装置を選択することなく、リソースに余裕のある通信接続装置を選択することができる。したがって、サービス要求条件を満たした通信を可能にする。
【発明の効果】
【０００９】
本発明によると、スライスネットワークにおいて輻輳状況の起らない通信を可能にする。
【図面の簡単な説明】
【００１０】
【図１】本実施形態の通信システムのシステム構成を示す図である。
【図２】ＡＭＦ１００の機能構成を示すブロック図である。
【図３】Ｅ２Ｅスライス選択／制御装置４００の機能構成を示すブロック図である。
【図４】輻輳状態記憶部４０３が記憶する輻輳情報の具体例を示す図である。
【図５】本実施形態における通信システムの処理シーケンスを示す図である。
【図６】他の実施形態における通信システムのシステム構成を示すブロック図である。
【図７】他の実施形態における通信システムの処理シーケンスを示す図である。
【図８】本実施形態に係るＡＭＦ１００などのハードウェア構成の一例を示す図である。
【発明を実施するための形態】
【００１１】
添付図面を参照しながら本発明の実施形態を説明する。可能な場合には、同一の部分には同一の符号を付して、重複する説明を省略する。
【００１２】
図１は、本実施形態の通信システムのシステム構成を示す図である。図１に示されるとおり、通信システムは、ＡＭＦ（Access and Mobility management Function）、１００、ＳＭＦ（Session Management Function）２００、ＲＡＮ（Radio Access Network）スライス３００、Ｅ２Ｅスライス選択／制御装置４００およびＮＳＳＦ（Network Slice Selection Function）４５０を含んで構成されている。この通信システムは、ユーザ端末５００とサービスサーバ６００とをスライスネットワークを介して通信接続させる。
【００１３】
ＡＭＦ１００は、ユーザ端末５００の位置管理及び通信経路の設定処理を行う機能を有するＮＦ（Network Function）である。ＳＭＦ２００は、セッションを管理する機能を有するＮＦである。
【００１４】
ＲＡＮスライス３００は、複数のＲＡＮ３１０ａ〜３１０ｄから構成されるネットワークインフラ上に構成されている仮想的なネットワーク（スライスネットワーク）である。
【００１５】
通信システムでは、仮想化ネットワークであるＲＡＮスライス３００に対してサービスを割り当てることにより、ユーザ端末５０に対してネットワークサービスを提供する。ここでのＲＡＮスライス３００とは、ＲＡＮ資源を仮想的に切り分けて、切り分けられたＲＡＮ資源を結合し、結合されたＲＡＮ資源上に論理的に生成される仮想化ネットワーク又はサービス網であり、ＲＡＮスライス３００同士は、資源が分離されているため、互いに干渉しない。
【００１６】
本実施形態において、ＲＡＮ３１０ａ〜３１０ｄは、上記のＲＡＮ資源であって、いわゆるユーザ端末５００と無線による通信を行うことで、コアネットワークと通信接続するための基地局である。ＲＡＮスライス３００は、複数の物理的に構成されたノードであるＲＡＮ３１０を組み合わせることで、一の仮想的なアクセスネットワークを構築している。なお、ＲＡＮ３１０として、移動体通信網を想定したが、それに限るものではなく、Ｗｉ−Ｆｉなどの、非移動体通信網のアクセスポイントとしてもよい。
【００１７】
本実施形態においては、複数のＲＡＮスライス３００ａおよび３００ｂが形成されている。ＲＡＮスライス３００ａは、ＲＡＮ３１０ａ〜３１０ｃから構成されており、ＲＡＮスライス３００ｂは、ＲＡＮ３１０ａ、３１０ｂ、および３１０ｄから構成されている。ＲＡＮ３１０ａ〜３１０ｄは、そのリソース（無線リソースブロック、ＣＰＵの占有率、メモリの占有率、通信帯域など）を切り分けて、複数のＲＡＮスライスを構築している。サービス内容に応じて、適切なＲＡＮスライスが選択される。
【００１８】
Ｅ２Ｅスライス選択／制御装置４００は、ユーザ端末５００からのサービス要求に応じたＣＮスライスおよびＲＡＮスライス３００を含むＥ２Ｅスライスを選択する。ここでは、Ｅ２Ｅスライスは、ユーザ端末からサービスサーバまでを一貫したＥｎｄ−ｔｏ−Ｅｎｄでのネットワークにおけるスライスを示す。
【００１９】
本実施形態ではＥ２Ｅスライス選択／制御装置４００は、Ｅ２Ｅスライスのうち、ＣＮスライスおよびＲＡＮスライスをそれぞれ選択可能に構成されている。
【００２０】
そして、Ｅ２Ｅスライス選択／制御装置４００は、ＲＡＮスライス３００内における各ＲＡＮ３１０（ＲＡＮスライス３１０ａ〜３１０ｄ）の輻輳状況に応じて、一のＲＡＮ３１０（例えばＲＡＮ３１０ａ）を選択することで、ユーザ端末５００とＲＡＮスライス３００とを通信接続させる。
【００２１】
サービスサーバ６００は、ユーザ端末５００に対してデータ配信などのサービス提供を行うサーバである。
【００２２】
つぎに、通信制御装置であるＡＭＦ１００の機能構成について説明する。図２は、ＡＭＦ１００の機能構成を示すブロック図である。図２に示されるとおり、ＡＭＦ１００は、受信部１０１（輻輳情報受信部、識別情報受信部）、通知処理部１０２（輻輳情報通知部）、送信部１０３、および接続処理部１０４（選択要求部、通信処理部）を含んで構成されている。
【００２３】
受信部１０１は、ユーザ端末５００およびＲＡＮ３１０からＮ２インタフェースを介して、通知情報（Notification、輻輳情報含む）または接続要求信号（PDU Session Establish Request）を受信する部分である。
【００２４】
通知処理部１０２は、受信部１０１が通知情報を受信すると、Ｅ２Ｅスライス選択／制御装置４００に対して輻輳情報を、一蓮の通信手順を示す通信フローを示すフローＩＤおよび輻輳対象であるＲＡＮ３１０のＩＤと紐付けて通知する部分である。輻輳情報は、ＲＡＮ３１０におけるリソース利用率および接続セッション数である。
【００２５】
接続処理部１０４は、受信部１０１が接続要求信号を受信すると、Ｅ２Ｅスライス選択／制御装置４００に対して、Ｅ２ＥスライスおよびＲＡＮスライスにおけるＲＡＮ３１０のスライス選択要求を行う部分である。
【００２６】
送信部１０３は、通知処理部１０２の通知処理、および接続処理部１０４の選択要求のそれぞれを示す信号をＥ２Ｅ選択／制御装置４００に送信する部分である。
【００２７】
つぎに、スライスの選択装置であるＥ２Ｅスライス選択／制御装置４００について説明する。図３は、Ｅ２Ｅスライス選択／制御装置４００の機能構成を示すブロック図である。図３に示されるとおり、Ｅ２Ｅスライス選択／制御装置４００は、受信部４０１（取得部）、輻輳管理部４０２、輻輳状態記憶部４０３（記憶部）、スライス選択部４０４、送信部４０５（装置情報通知部）、およびスライス割当制御部４０６を含んで構成されている。
【００２８】
受信部４０１は、ＡＭＦ１００から送信される輻輳情報、輻輳したＲＡＮ３１０を示す識別情報（ＲＡＮ３１０ａ〜３１０ｄのいずれかを示す）およびフローＩＤを受信する部分である。
【００２９】
輻輳管理部４０２は、受信した輻輳情報、そのＲＡＮスライス３００におけるＲＡＮ３１０ａ〜３１０ｄのいずれかを示す識別情報、およびフローＩＤを、輻輳状態記憶部４０３に記憶する部分である。
【００３０】
輻輳状態記憶部４０３は、ＲＡＮ３１０を示す識別情報と輻輳情報とフローＩＤとを記憶する部分である。
【００３１】
図４は、輻輳状態記憶部４０３が記憶する輻輳情報の具体例を示す図である。図に示されるとおり、輻輳状態記憶部４０３は、ＲＡＮＩＤ、フローＩＤ、リソース利用率、接続セッション数、保証できる最大帯域、最大接続端末数などを対応付けて記憶している。輻輳管理部４０２は、ＲＡＮ３１０から輻輳情報としてリソース利用率および接続セッション数を受信し、輻輳状態記憶部４０３に記憶する。輻輳管理部４０２は、輻輳情報を受信する度に輻輳状態記憶部４０３を更新する。
【００３２】
ＲＡＮＩＤとは、ＲＡＮ３１０を特定するための識別情報である。フローＩＤとは、通信フローを特定するための識別情報である。なお、通信フローとは、一蓮の通信処理の単位を示したものである。本実施形態においては、通信フローごとに輻輳状態を管理している。
【００３３】
リソース利用率とは、輻輳情報の一つであり、ＲＡＮ３１０において、ＲＡＮスライスとして割当てられてリソースのうち、通信フローにおいて利用されている割合を示す。ここでリソースとは、無線リソースブロック、ＣＰＵ、メモリ、無線通信の使用帯域などを示し、リソース利用率は、その割当てられた無線リソースブロックの使用率、ＣＰＵの使用率、メモリの使用率、または帯域の使用率を示す。
【００３４】
接続セッション数とは、ユーザ端末５００がＲＡＮ３１０において割当てられているＲＡＮスライスに対して通信接続しているセッション数を示す。通常、一のユーザ端末５００は一または複数のセッションを確立している。
【００３５】
保証できる最大帯域および最大接続端末数は、事前に定められた設定値であり、それぞれ通信帯域または端末数を示す。
【００３６】
なお、図４においては、輻輳状態記憶部４０３は、輻輳情報として、リソース利用率および接続セッション数を記憶しているが、これに限るものではなく、輻輳状態を示す他の情報を含んでいて  もよい。  スライス選択部４０４は、スライス選択Requestを受信すると、そこに含まれているサービス要求条件に基づいて一のＲＡＮスライス３００および当該スライスに設定されている一のＲＡＮ３１０を選択する部分である。なお、システムの構成によっては、必ずしも一のスライスおよび一のＲＡＮを選択することなく、複数のスライス、複数のＲＡＮを選択してもよい。なお、スライス選択部４０４は、サービス要求条件とＲＡＮスライス３００との対応付けをした管理テーブル（図示せず）を有しており、それに基づいたＲＡＮスライス３００およびＲＡＮ３１０の選択を行う。
【００３７】
送信部４０５は、選択したＲＡＮスライス３００およびＲＡＮ３１０を特定するための識別情報をＡＭＦ１００に送信する。
【００３８】
スライス割当制御部４０６は、スライス選択部４０４においてリソースに余裕のある一のＲＡＮ３１０が存在せず、選択できない場合、選択したＲＡＮスライス３００に、新たなＲＡＮ３１０を追加するための制御を行う。具体的には、スライス割当制御部４０６は、リソースに余裕のあるＲＡＮ３１０を他のＲＡＮスライスから選択して、当該ＲＡＮ３１０に対して、確保するリソースと、フローＩＤを設定する。また、スライス割当制御部４０６は、スライス選択部４０４に対して、ＲＡＮスライス３００に対して新たなＲＡＮ３１０を追加したことを設定する。
【００３９】
なお、新たに設定されたＲＡＮ３１０は、設定された通信フローが終了すると、追加で設定されたリソースを開放するように動作する。
【００４０】
つぎに、ＡＭＦ１００およびＥ２Ｅスライス選択／制御装置４００を含んだ通信システムにおける処理シーケンスについて説明する。図５は、本実施形態における通信システムの処理シーケンスを示す図である。この図においては、ＲＡＮ３１０ａが輻輳状態であることを前提に説明する。
【００４１】
ユーザ端末５００ａは、無線通信制御に従ってＲＡＮ３１０ａを選択して、当該ＲＡＮ３１０ａに対してユーザデータを送信する。ＲＡＮ３１０ａは、ユーザデータを受信すると（Ｓ１０１）、ＲＡＮ３１０ａが輻輳状態であるか否かを検知する（Ｓ１０２）。例えば、ＲＡＮ３１０ａは、リソース利用率が所定値以上であるか否かなどを判断する。なお、接続要求時においては、最大セッション数を超えたアクセスであるか否かを判断することにより輻輳状態であるか否かを判断してもよい。
【００４２】
ＲＡＮ３１０ａは、ユーザ端末５００ａから送信されたユーザデータ（データフロー）に基づいて、所定のリソースを超えた処理が必要となって輻輳状態であることを検知すると、Notification信号および輻輳状態を示す輻輳情報を、当該ＲＡＮ３１０ａの識別情報およびフローＩＤとともに、ＡＭＦ１００に送信する（Ｓ１０３）。  ＡＭＦ１００において、受信部１０１がNotification信号および輻輳情報を受信すると、通知処理部１０２は、送信部１０３を用いて、Ｅ２Ｅスライス選択／制御装置４００に、ＲＡＮ３１０ａの識別情報、フローＩＤおよび輻輳情報を送信する（Ｓ１０４）。Ｅ２Ｅスライス選択／制御装置４００は、受信部４０１が識別情報、フローＩＤおよび輻輳情報を受信し、輻輳管理部４０２は、輻輳状態記憶部４０３に、識別情報ごとにフローＩＤおよび輻輳情報を記憶する。
【００４３】
ＡＭＦ１００は、Notification信号および輻輳情報を受信する度に、Ｅ２Ｅスライス選択／制御装置４００に、Notification信号および輻輳情報を送信する。Ｅ２Ｅスライス選択／制御装置４００は、輻輳情報に基づいて、各ＲＡＮ３１０ａ〜３１０ｄの輻輳状態を管理する。
【００４４】
その後、ユーザ端末５００ｂが、無線通信制御に従って、ＲＡＮスライスを構成する基地局の一つであるＲＡＮ３１０ａを選択し、そのＲＡＮ３１０ａに対して、接続要求であるPDU Session Establish Requestを送信する。ＲＡＮ３１０ａは、ＡＭＦ１００に対して通信接続処理のため、PDU Session Establish Requestを送信する（Ｓ１０５）。PDU Session Establish Requestには、ユーザ端末５００から提供を受けようとするサービス（動画配信など）を示す情報および通信フローを示すフローＩＤが含まれる。
【００４５】
ＡＭＦ１００において、接続処理部１０４は、Ｅ２Ｅスライス選択／制御装置４００にＥ２Ｅスライス選択要求（サービス要求条件およびフローＩＤを含む）を行う（Ｓ１０６）。サービス要求条件は、ユーザ端末５００が要求しているサービスを特定するための情報であって、サービスを実現するための条件、例えば、通信遅延の許容度、使用帯域、最大セッション数、ユーザ密度などとしてもよい。また、これらサービス要求条件を特定するためにサービス名などを含めてもよい。
【００４６】
Ｅ２Ｅスライス選択／制御装置４００において、受信部４０１がＥ２Ｅスライス選択要求を受信し、スライス選択部４０４は、Ｅ２ＥスライスおよびＲＡＮスライスを選択するとともに、輻輳状態記憶部４０３に記憶されている輻輳情報に基づいて、ＲＡＮスライス３００における一のＲＡＮ３１０ｂを選択する（Ｓ１０７）。送信部４０５は、選択したＲＡＮスライスおよび一のＲＡＮ３１０ｂの識別情報をＡＭＦ１００に送信する（Ｓ１０８）。
【００４７】
ＡＭＦ１００において、接続処理部１０４は、ユーザ端末５００ｂがＲＡＮ３１０ａからＲＡＮ３１０ｂに、その接続先を変えるように、ハンドオーバ処理を行う（Ｓ１０９）。
【００４８】
その後、ユーザ端末５００ｂは、ＲＡＮスライス３００ａにおけるＲＡＮ３１０ｂに対して通信接続処理を行い、ＧＢＲの通信フローによるデータの送受信を行う（Ｓ１１０）。
【００４９】
この処理によって、ＲＡＮ３１０ａが輻輳状態であってＧＢＲによる通信フローを実現できない場合においても、ＲＡＮ３１０ｂに切り替えることでＧＢＲによる通信フローを実現する。
【００５０】
上述の例では、ＲＡＮ３１０ａが輻輳状態であってもＲＡＮ３１０ｂに切り替えることにより、輻輳状態の生じない通信を可能にした。しかしながら、ＲＡＮ３１０ｂを含めて同じＲＡＮスライ内のＲＡＮ３１０が輻輳状態であることがあり得る。
【００５１】
そのような場合には、Ｅ２Ｅスライス選択／制御装置４００は、他のＲＡＮスライス３００からリソースを切り出すことが可能である。以下、その処理について説明する。
【００５２】
ＡＭＦ１００からＥ２Ｅスライス選択要求（サービス要求条件およびフローＩＤを含む）が送信され、ＲＡＮスライス３００ａにおけるいずれのＲＡＮ３１０が輻輳状態である場合には、Ｅ２Ｅスライス選択／制御装置４００において、スライス選択部４０４は、輻輳状態記憶部４０３を参照して、リソースに余裕のあるＲＡＮ３１０（例えば、リソースの空きが所定値以上であるなど）を含んだ他のＲＡＮスライス３００ｃを選択する。なお、スライス選択部４０４は、サービス要求条件を満たしたＲＡＮスライスに限ることなく、他のサービス要求条件を満たしたＲＡＮスライス３００ｃを選択する。
【００５３】
スライス割当制御部４０６は、選択されたＲＡＮスライス３００から、Ｅ２Ｅスライス選択要求に含まれているフローＩＤおよびサービス要求条件に基づいて、当該サービス要求条件を満たすリソースを切り出す処理を行い、リソースを確保する。具体的には、スライス割当制御部４０６は、サービス要求条件（通信遅延の遅延許容度、使用帯域、最大セッション数、ユーザ密度）に基づいて、割り当てメモリ容量（使用可能メモリ範囲）、使用する無線通信帯域、ＣＰＵ占有率などで規定されたリソースを、フローＩＤを対応付けて、選択したＲＡＮ３１０に設定することで、その通信フローに対するリソースを確保する。サービス要求条件に応じて確保する必要があるリソースは、事前にスライス割当制御部４０６が保持していてもよいし、他のスライスを管理するノードから取得してもよい。
【００５４】
なお、スライス選択部４０４が、選択したＲＡＮ３１０を、ＲＡＮスライス３００の一部として選択可能にするよう、必要な設定がなされている。
【００５５】
選択されたＲＡＮ３１０は、フローＩＤと、リソース使用率とを記憶し、当該通信フローが発生したら、指定されたリソースを利用した通信を可能にする。
【００５６】
この処理により、ＲＡＮスライス３００を跨いで別のＲＡＮスライス３００のＲＡＮ３１０を利用した通信を可能にする。
【００５７】
つぎに、他の実施形態における通信システムについて説明する。図６は、他の実施形態における通信システムのシステム構成を示すブロック図である。図に示される通り、通信システムでは、仮想化ネットワークであるＲＡＮスライス３００に対してサービスを割り当てることにより、ユーザ端末５００に対してネットワークサービスを提供する。ここでのＲＡＮスライス３００とは、ＲＡＮ資源を仮想的に切り分けて、切り分けられたＲＡＮ資源を結合し、結合されたＲＡＮ資源上に論理的に生成される仮想化ネットワーク又はサービス網であり、ＲＡＮスライス３００同士は、資源が分離されているため、互いに干渉しない。
【００５８】
上記実施形態との違いは、Ｅ２Ｅスライス選択／制御装置４００に代えて、選択装置としてＲＡＮスライス選択／制御装置４１０が、ＲＡＮスライス３００およびＲＡＮ３１０を選択する点にある。このＲＡＮスライス選択／制御装置４１０は、各ＲＡＮスライス３００に対して直接、通信制御を行うように配置されている。また、ＲＡＮスライス選択／制御装置４１０は、コアネットワーク側のスライスを選択するためのＮＳＳＦ４５０からの指示に基づいて、ＲＡＮスライス３００を選択し、そのＲＡＮスライス３００からＲＡＮ３１０の選択を行うように配置されている。なお、ＮＳＳＦ４５０からの指示は一例であって、様々な形態が考えられる。すなわち、ＲＡＮスライス選択／制御装置４１０は、ＡＭＦ１００、ＳＭＦ２００、などから選択要求を受けてもよいし、また、上記実施形態に記載したＥ２Ｅスライス選択／制御装置から選択要求を受け付けてもよい。
【００５９】
ＲＡＮスライス選択／制御装置４１０は、ＲＡＮスライス３００を構成するＲＡＮ３１０ａ〜３１０ｃのいずれかから、ＲＡＮ３１０のそれぞれの輻輳情報に基づいて、一のＲＡＮ３１０を選択する。ユーザ端末５００は、選択されたＲＡＮ３１０に対してアクセス可能に制御される。
【００６０】
ＲＡＮスライス選択／制御装置４１０の機能構成は、図３に示される通り、上記Ｅ２Ｅスライス選択／制御装置と同じ機能構成をとる。これを前提に、その処理シーケンスについて説明する。
【００６１】
図７は、他の実施形態における通信システムの処理シーケンスを示す図である。図に示される通り、ＲＡＮ３１０は、ユーザ端末５００からデータ通信（データフロー：Ｓ１０１）に基づいて輻輳を検知すると（Ｓ１０２）、ＮＳＳＦ４５０に対して、Notification信号および輻輳情報を送信するとともに、ＲＡＮ選択／制御装置４００に対して、輻輳情報を送信する。なお、ＮＳＳＦ４５０に対しては、輻輳情報は必ずしも送信する必要はない。そして、ＲＡＮスライス選択／制御装置４１０は、ＲＡＮ３１０およびフローＩＤごとの輻輳情報を記憶する。上記実施形態では、ＮＳＳＦ４５０に輻輳情報等を送信するように構成しているが、これに限るものではなく、ＡＭＦ１００、ＳＭＦ２００等に送信してもよい。
【００６２】
その後、他のユーザ端末５００から接続要求が送信されると、ＮＳＳＦ４５０は、ＲＡＮスライス選択／制御装置４１０にＲＡＮスライス選択Request（サービス要求条件およびフローＩＤを含む）を送信する（１０６ａ）。
【００６３】
ＲＡＮスライス選択／制御装置４１０は、ＲＡＮスライス選択Requestを受信すると、輻輳情報に基づいてＲＡＮ３１０ａ〜３１０ｃのいずれかを選択する（Ｓ１０７ａ）。選択基準は上記Ｓ１０７と同じである。ＲＡＮスライス選択／制御装置４１０は、選択したＲＡＮ３１０を示す識別情報を含んだＲＡＮスライス選択ResponseをＮＳＳＦ４５０に送信する（Ｓ１０８ａ）。
【００６４】
ＮＳＳＦ４５０は、ＡＭＦ１００に通知し、ＡＭＦ１００は、選択されたＲＡＮ３１０にハンドオーバするようにユーザ端末５００に、切替先となるＲＡＮ３１０の情報を通知し、ハンドオーバ処理を行う（Ｓ１０９）。図では、ＲＡＮ３１０ａからＲＡＮ３１０ｂに切り替えられる。
【００６５】
そして、ユーザ端末５００は、ＲＡＮ３１０ｂに対してアクセスして、ユーザデータを送信する。
【００６６】
このように他の実施形態においても、ＲＡＮスライス選択／制御装置４１０が、ＮＳＳＦ４５０などからのＲＡＮスライス選択要求に基づいて、ＲＡＮスライス３００の選択およびＲＡＮ３１０の選択を行うことができる。
【００６７】
なお、他の実施形態においても、上記本実施形態に記載の通り、リソースに余裕のあるＲＡＮ３１０を選択できない場合には、他のＲＡＮスライス３００のＲＡＮ３１０を選択して、そのリソースを切り出す制御を行うこともできる。
【００６８】
つぎに、本実施形態の作用効果について説明する。
【００６９】
本実施形態の通信制御装置であるＡＭＦ１００（または、ＳＭＦ２００）は、ユーザ端末５００をコアネットワークに通信接続するためのネットワークインフラである複数の通信接続装置であるＲＡＮ３１０を用いて仮想的なネットワークを構成したＲＡＮスライス３００（スライスネットワーク）に対して、通信制御を行う通信制御装置である。
【００７０】
このＡＭＦ１００は、複数の通信接続装置であるＲＡＮ３１０のそれぞれにおける輻輳情報を受信する受信部１０１と、ＲＡＮ３１０群（ＲＡＮ３１０ａ〜３１０ｃ）から一のＲＡＮ３１０を選択するための選択／制御装置であるＥ２Ｅスライス選択／制御装置４００に、輻輳情報を通知して、ＲＡＮ３１０のそれぞれにおける輻輳情報を記憶させる通知処理部１０２と、ＲＡＮ３１０から接続要求であるPDU Session Establish Requestを受信すると、Ｅ２Ｅスライス選択／制御装置４００にスライス選択要求を送信する接続処理部１０４と、スライス選択要求に対する応答として、選択されたＲＡＮスライス３００の識別情報、および輻輳情報に基づいて選択されたＲＡＮ３１０を示す識別情報（ＲＡＮＩＤ）を受信する識別情報受信部と、識別情報で示されたＲＡＮスライス３００におけるＲＡＮ３１０を用いた通信接続処理を行う通信処理部と、を備える。
【００７１】
この構成によれば、輻輳状態にあるＲＡＮ３１０（例えば上記のＲＡＮ３１０ａ）を選択することなく、リソースに空きのあるＲＡＮ３１０（例えば上記のＲＡＮ３１０ｂ）を選択することができる。したがって、サービス要求条件を満たした通信を可能にする。
【００７２】
本実施形態のＥ２Ｅスライス選択／制御装置４００は、仮想的なネットワークであるＲＡＮスライス３００を構成する、ユーザ端末５００をコアネットワークに通信接続するためのネットワークインフラである複数のＲＡＮ３１０ごとの、輻輳情報を受信する受信部４０１と、複数のＲＡＮ３１０ごとの輻輳情報を記憶する輻輳状態記憶部４０３と、ネットワーク管理を行うＡＭＦ１００（またはＳＭＦ２００）から選択要求を受信すると、輻輳状態記憶部４０３を参照して、ＲＡＮ３１０を選択するスライス選択部４０４と、ＲＡＮ３１０のＩｄをＡＭＦ１００に通知する送信部４０５と、を備え、ＡＭＦ１００は、選択されたＲＡＮ３１０（例えば上記のＲＡＮ３１０ｂ）を用いた通信制御を行う。
【００７３】
したがって、輻輳状態にあるＲＡＮ３１０（例えば上記のＲＡＮ３１０ａ）を選択することなく、リソースに空きのあるＲＡＮ３１０（例えば上記のＲＡＮ３１０ｂ）を選択することができる。
【００７４】
また、本実施形態のＥ２Ｅスライス選択／制御装置４００におけるスライス選択部４０４は、ＡＭＦ１００からスライス選択要求を受信すると、ユーザ端末５００が通信するためのサービス要求条件を満たすＲＡＮスライス３００を選択するとともに、当該ＲＡＮスライス３００を構成する一または複数のＲＡＮ３１０から、輻輳情報に応じたＲＡＮ３１０を選択する。
【００７５】
よって、スライス選択要求を利用してＲＡＮ３１０の選択を可能にし、その通信制御を簡易なものにする。
【００７６】
また、本実施形態のＥ２Ｅスライス選択／制御装置４００において、複数のＲＡＮ３１０それぞれは、複数のＲＡＮスライス３００ごとにリソースが割当てられており、輻輳状態記憶部４０３を参照して、指定されたＲＡＮスライス３００におけるＲＡＮ３１０を選択することができない場合には、他のＲＡＮスライス３００（例えばＲＡＮスライス３００ｂ）におけるＲＡＮ３１０からリソースの切り出しを行うスライス割当制御部４０６を、備える。
【００７７】
この構成によれば、ＲＡＮスライス３００におけるＲＡＮ３１０ａ〜３１０ｃにおいて、いずれも輻輳状態であってリソース不足である場合には、他のＲＡＮ３１０からリソースに余裕のあるＲＡＮ３１０から当該ＲＡＮスライス３００用にリソースを切り出すことができる。したがって、輻輳状態の生じえない通信を可能にする。
【００７８】
また、本実施形態のＥ２Ｅスライス選択／制御装置４００において、スライス割当制御部４０６は、通信フロー単位に、ＲＡＮ３１０からリソースの切り出しを行い、ＲＡＮ３１０は、割り当てられた通信フローの通信が終了すると、当該通信フローに割り当てられたリソースを開放する。
【００７９】
これにより、いつまでも他のＲＡＮスライス３００のためにリソースを維持することがなく、効率的なシステムを構築する。
【００８０】
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００８１】
例えば、本発明の一実施の形態におけるＡＭＦ１００、Ｅ２Ｅスライス選択／制御装置４００，ＲＡＮ選択／制御装置４１０などは、本実施形態の処理を行うコンピュータとして機能してもよい。図８は、本実施形態に係るＡＭＦ１００、Ｅ２Ｅスライス選択／制御装置４００，ＲＡＮ選択／制御装置４１０のハードウェア構成の一例を示す図である。上述のＡＭＦ１００、Ｅ２Ｅスライス選択／制御装置４００，ＲＡＮ選択／制御装置４１０は、物理的には、プロセッサ１００１、メモリ１００２、ストレージ１００３、通信装置１００４、入力装置１００５、出力装置１００６、バス１００７などを含むコンピュータ装置として構成されてもよい。
【００８２】
なお、以下の説明では、「装置」という文言は、回路、デバイス、ユニットなどに読み替えることができる。ＡＭＦ１００、Ｅ２Ｅスライス選択／制御装置４００，ＲＡＮ選択／制御装置４１０のハードウェア構成は、図に示した各装置を１つ又は複数含むように構成されてもよいし、一部の装置を含まずに構成されてもよい。
【００８３】
ＡＭＦ１００、Ｅ２Ｅスライス選択／制御装置４００，ＲＡＮ選択／制御装置４１０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００８４】
プロセッサ１００１は、例えば、オペレーティングシステムを動作させてコンピュータ全体を制御する。プロセッサ１００１は、周辺装置とのインタフェース、制御装置、演算装置、レジスタなどを含む中央処理装置（ＣＰＵ：Central  Processing  Unit）で構成されてもよい。例えば、ＡＭＦ１００の通知処理部１０２、Ｅ２Ｅスライス選択／制御装置４００の輻輳管理部４０２などは、プロセッサ１００１で実現されてもよい。
【００８５】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＡＭＦ１００の通知処理部１０２、Ｅ２Ｅスライス選択／制御装置４００の輻輳管理部４０２は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００８６】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００８７】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。上述の輻輳状態記憶部４０３はストレージ１００３により実現されてもよい。
【００８８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述のＡＭＦ１００における受信部１０１、送信部１０３、Ｅ２Ｅスライス選択／制御装置４００における受信部４０１，送信部４０５は、などは、通信装置１００４で実現されてもよい。
【００８９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００９０】
また、プロセッサ１００１やメモリ１００２などの各装置は、情報を通信するためのバス１００７で接続される。バス１００７は、単一のバスで構成されてもよいし、装置間で異なるバスで構成されてもよい。
【００９１】
また、ＡＭＦ１００、Ｅ２Ｅスライス選択／制御装置４００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００９２】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００９３】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００９４】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００９５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９６】
情報等は、上位レイヤ(または下位レイヤ)から下位レイヤ(または上位レイヤ)へ出力され得る。複数のネットワークノードを介して入出力されてもよい。
【００９７】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００９８】
判定は、１ビットで表される値（０か１か）によって行われてもよいし、真偽値（Boolean：trueまたはfalse）によって行われてもよいし、数値の比較（例えば、所定の値との比較）によって行われてもよい。
【００９９】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１００】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０１】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１０２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０３】
なお、本明細書で説明した用語及び／又は本明細書の理解に必要な用語については、同一の又は類似する意味を有する用語と置き換えてもよい。
【０１０４】
本明細書で使用する「システム」および「ネットワーク」という用語は、互換的に使用される。
【０１０５】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１０６】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１０７】
ユーザ端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０８】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１０９】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１１０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１１】
上記の各装置の構成における「手段」を、「部」、「回路」、「デバイス」等に置き換えてもよい。
【０１１２】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【０１１３】
本明細書において、文脈または技術的に明らかに1つのみしか存在しない装置である場合以外は、複数の装置をも含むものとする。
【符号の説明】
【０１１４】
５０…ユーザ端末、１０１…受信部、１０２…通知処理部、１０３…送信部、１０４…接続処理部、３００、３００ａ、３００ｂ、３００ｃ…ＲＡＮスライス、３１０…ＲＡＮ、４００…Ｅ２Ｅスライス選択／制御装置、４０１…受信部、４０２…輻輳管理部、４０３…輻輳状態記憶部、４０３…輻輳状態記憶部、４０４…スライス選択部、４０５…送信部、４０６…スライス割当制御部、４１０…ＲＡＮスライス選択／制御装置、４５０…ＮＳＳＦ、５００、５００ａ、５００ｂ…ユーザ端末、６００…サービスサーバ。
【図１】
2020031304.tif 000003
【図２】
2020031304.tif 000004
【図３】
2020031304.tif 000005
【図４】
2020031304.tif 000006
【図５】
2020031304.tif 000007
【図６】
2020031304.tif 000008
【図７】
2020031304.tif 000009
【図８】
2020031304.tif 000010
【国際調査報告】
2020031304.tif 000011
2020031304.tif 000012
2020031304.tif 000013